(57)【要約】【課題】本発明は、簡易な構成で確実にスキミングを防止できるようにする。【解決手段】本発明は、誘導起電力に基づいて動作するダミー非接触ＩＣカード４において、外部から供給される磁界を検出したとき、リーダライタ２から信号を受信するか否かに拘わらず、意味のないノイズ信号ＮＳを発生させて出力することにより、磁界を検出したときにはリーダライタ２と本非接触ＩＣカード３との間の通信をノイズ信号ＮＳによって妨害することができるので、当該本非接触ＩＣカードの情報に対するスキミングを確実に防止することができる。【選択図】図１
2007188266.tif 000002
【特許請求の範囲】
【請求項１】
誘導起電力に基づいて動作する非接触型情報カードにおいて、
外部から供給される磁界を検出する磁界検出手段と、
上記磁界を検出したとき、所定の通信対象機器から信号を受信するか否かに拘わらずノイズ信号を発生させるノイズ信号発生手段と、
上記ノイズ信号を出力する出力手段と
を具えることを特徴とする非接触型情報カード。
【請求項２】
上記非接触型情報カードは、
上記通信対象機器との間で本来的に通信を行うための本非接触型情報カードと重ねられた状態で用いられる
ことを特徴とする請求項１に記載の非接触型情報カード。
【請求項３】
上記ノイズ信号発生手段は、上記磁界を検出している間は継続して上記ノイズ信号を発生させ、
上記出力手段は、上記ノイズ信号を出力し続ける
ことを特徴とする請求項１に記載の非接触型情報カード。
【発明の詳細な説明】
【技術分野】
【０００１】
本発明は、非接触型情報カードに関し、例えばキャッシュカード、クレジットカード等の非接触ＩＣ(Integrated Circuit)カードに適用して好適なものである。
【背景技術】
【０００２】
従来、電子マネーなどの用途のため、非接触ＩＣカードとして鉄道の前払いカード、キャッシュカードやクレジットカード等が広く普及している。一般に、このような非接触ＩＣカードでは、カードに記録された鉄道の入出場履歴や、電子マネーの残高履歴、使用履歴等のデータを、ユーザの自宅にあるパーソナルコンピュータによって鍵無しで読み取って種々の履歴情報を確認し得るようになされている。
【０００３】
従って悪意のユーザにとっては、非接触型のカードリーダーと、パーソナルコンピュータとを用いれば、洋服や鞄越しに非接触ＩＣカードのデータを読み取ることが可能になる。このような非接触ＩＣカードのデータは、履歴情報が読み取られたとしても、直ちにシステムのセキュリティーに影響があるというものではないが、個人の行動記録が読み取られるのと同じであるので不安要因となり得る。
【０００４】
また非接触ＩＣカードの普及に伴って、個人情報に準じた情報がカードに記録される可能性も今後大いにあり、スキミングに対する防衛機能の要望が益々大きくなりつつある。このようなスキミングを防止するため、非接触ＩＣカードを動作させるための拠り所である磁界を遮断してしまうような金属製カードやシートが開発されている（例えば、非特許文献１参照）。
【非特許文献１】朝日新聞の速報ニュースサイト、「とれんどサーチ」、２００５年１０月９日、[平成１７年１０月１９日検索]、インターネット＜URL:http://be.asahi.com/be_s/20051009/20050929TKEZ0007A.html＞
【発明の開示】
【発明が解決しようとする課題】
【０００５】
ところでかかる構成の金属製カードにおいては、リーダライタが作り出す磁界に反応し、カード内部で自動的にうず電流を流させることにより当該リーダライタの磁界とは逆向きの磁界を発生させ、その結果双方の磁界が打ち消し合うことになるので、リーダライタからの磁界がＩＣカードに到達することがなく、通信用アンテナを起動させることがないようになされているものの、当該金属製カード用に新しいハードウェアを構築しなければならないという問題があった。
【０００６】
本発明は以上の点を考慮してなされたもので、簡易な構成で確実にスキミングを防止し得る非接触型情報カードを提案しようとするものである。
【課題を解決するための手段】
【０００７】
かかる課題を解決するため本発明においては、誘導起電力に基づいて動作する非接触型情報カードにおいて、外部から供給される磁界を検出したとき、所定の通信対象機器から信号を受信するか否かに拘わらずノイズ信号を発生させて出力することにより、磁界を検出したときには必ず通信対象機器との間の通信をノイズ信号によって妨害することができるので、確実にスキミングを防止することができる。
【発明の効果】
【０００８】
本発明によれば、誘導起電力に基づいて動作する非接触型情報カードにおいて、外部から供給される磁界を検出したとき、所定の通信対象機器から信号を受信するか否かに拘わらずノイズ信号を発生させて出力することにより、磁界を検出したときには必ず通信対象機器との間の通信をノイズ信号によって妨害することができるので、確実にスキミングを防止することができ、かくして簡易な構成で確実にスキミングを防止し得る非接触型情報カードを実現することができる。
【発明を実施するための最良の形態】
【０００９】
以下、図面について、本発明の一実施の形態を詳述する。
【００１０】
（１）スキミング防止システムの全体構成
図１において、１は全体としてスキミング防止システムを示し、リーダライタ２、当該リーダライタ２と非接触で無線通信を行うべき本来の非接触ＩＣカード（以下、本非接触ＩＣカードと呼ぶ）３、及びリーダライタ２と本非接触ＩＣカード３との間の無線通信を妨害するために必要な本発明に係るダミーの非接触ＩＣカード（以下、これをダミー非接触ＩＣカードと呼ぶ）４によって構成されている。
【００１１】
このダミー非接触ＩＣカード４は、本非接触ＩＣカード３に重ねられた状態で用いられるようになされており、例えば財布のカード入れに収納される際、外側にダミー非接触ＩＣカード４が位置するように重ねられて用いられる。
【００１２】
すなわちダミー非接触ＩＣカード４は、悪意のユーザが所有するリーダライタ２から本非接触ＩＣカード３のデータがスキミングされるのを防止するため、リーダライタ２と本非接触ＩＣカード３との間に位置され、リーダライタ２からは本非接触ＩＣカード３を保護するためのダミーとして用いられるようになされている。
【００１３】
従ってスキミング防止システム１では、悪意のユーザが所有するリーダライタ２ではなく、本来無線通信を行うべきリーダライタ２を通信対象とする場合、ユーザは本非接触ＩＣカード３の前に重ねられた状態で配置されたダミー非接触ＩＣカード４を取り除くか、或いは本非接触ＩＣカード３だけを取り出して通信対象のリーダライタ２に翳すようにすれば良い。
【００１４】
このようなスキミング防止システム１を構成する本非接触ＩＣカード３及びダミー非接触ＩＣカード４の回路構成について、次に説明する。
【００１５】
（２）本非接触ＩＣカードの回路構成
図２に示すように、本非接触ＩＣカード３は、リーダライタ２から発生された電磁波をアンテナ部１１で受け、電磁誘導の原理によって得られた電源電圧を電源部１２へ供給し、当該電源電圧に基づいて受信部１３、送信部１４及びデータ処理部１５を動作させるようになされている。
【００１６】
受信部１３は、リーダライタ２から送信された電磁波からなる質問信号ＤＳ１をアンテナ部１１を介して受け取り、リーダライタ２の変調方式に対応した復調方式で質問信号ＤＳ１を復調し、その結果得られる質問信号ＤＳ２をデータ処理部１５へ送出する。
【００１７】
データ処理部１５はマイクロプロセッサ構成でなり、受信部１３から供給された質問信号ＤＳ２に応じた応答信号ＤＳ３を生成し、これを送信部１４へ送出する。ここでデータ処理部１５が質問信号ＤＳ２に応じて生成する応答信号ＤＳ３の内容としては、リーダライタ２との通信状態を維持させるための情報や、相互認証のための応答情報や、内部に蓄積しておいた個人情報又はそれに順ずる情報等である。
【００１８】
送信部１４は、応答信号ＤＳ３に基づいてリーダライタ２と同じ例えば振幅変調又は位相変調を行うことによりレスポンス信号ＲＥを生成し、これをアンテナ部１１を介してリーダライタ２へ返信する。
【００１９】
（３）ダミー非接触ＩＣカードの回路構成
図２との対応部分に同一符号を付した図３に示すように、ダミー非接触ＩＣカード４は、本非接触ＩＣカード３のアンテナ部１１、電源部１２、受信部１３及び送信部１４を有し、これらについては本非接触ＩＣカード３と同じであり、それ以外のデータ処理部２１だけが本非接触ＩＣカード３とは異なる回路構成を有している。
【００２０】
このダミー非接触ＩＣカード４では、リーダライタ２からの磁界による電磁誘導の原理によって電源電圧の供給を受ける点及び質問信号ＤＳ１に応じたレスポンス信号ＲＥを返信することができる点については本非接触ＩＣカード３と同じであるが、予めインストールされたスキミング防止プログラムＳＰＲに従ってデータ処理部２１がスキミング防止処理を行うようになされており、その点が大きく異なる。
【００２１】
データ処理部２１についてもマイクロプロセッサ構成でなり、アンテナ部１１及び受信部１３によりリーダライタ２からの電磁波を検出したとき、質問信号ＤＳ１の有無に拘わらず、スキミング防止プログラムＳＰＲに従って乱数等の意味のない信号（以下、これを乱数信号と呼ぶ）Ｚ１を発生させ、これを送信部１４へ供給し続ける。
【００２２】
送信部１４は、データ処理部２１から供給される乱数信号Ｚ１に基づいてリーダライタ２と同じ例えば振幅変調又は位相変調を行うことによりノイズ信号ＮＳを生成し、これをアンテナ部１１を介してリーダライタ２へ返信するようになされている。これによりスキミング防止システム１では、リーダライタ２と本非接触ＩＣカード３との間における無線通信の成立がノイズ信号ＮＳによって阻害されることになる。
【００２３】
（４）スキミング防止処理手順
このような構成のスキミング防止システム１におけるダミー非接触ＩＣカード４が行うスキミング防止処理手順について、図４に示すフローチャートを用いて説明する。
【００２４】
ダミー非接触ＩＣカード４のデータ処理部２１は、ルーチンＲＴ１の開始ステップから入って次のステップＳＰ１へ移り、アンテナ部１１及び受信部１３により外部から磁界を検出したか否かを検出し、否定結果が得られると、磁界を検出するまで待ち受ける。
【００２５】
これに対しステップＳＰ１で肯定結果が得られると、このことは外部から磁界を検出したこと、すなわちリーダライタ２からの電磁波を受けたことを表しており、このときデータ処理部２１は次のステップＳＰ２へ移る。
【００２６】
ステップＳＰ２においてダミー非接触ＩＣカード４のデータ処理部２１は、リーダライタ２から電磁波を受けたので、リーダライタ２から送信される質問信号ＤＳ１の有無に拘わらず、スキミング防止プログラムＳＰＲに従って乱数を発生させ、次のステップＳＰ３へ移る。
【００２７】
ステップＳＰ３においてダミー非接触ＩＣカード４のデータ処理部２１は、ステップＳＰ２で発生させた乱数を乱数信号Ｚ１として送信部１４へ供給し、次のステップＳＰ４へ移る。ここでデータ処理部２１は、電磁波を受けている間は乱数信号Ｚ１を発生させ続けるので、乱数信号Ｚ１を送信部１４へ供給し続ける。
【００２８】
ステップＳＰ４においてダミー非接触ＩＣカード４のデータ処理部２１は、乱数信号Ｚ１に基づいて変調したノイズ信号ＮＳをアンテナ部１１を介してリーダライタ２へ無線送信することにより、悪意のユーザが所持するリーダライタ２と本非接触ＩＣカード３との間で無線通信が成立することを妨害し、当該リーダライタ２からスキミングのための質問信号ＤＳ１に対して本非接触ＩＣカード３がレスポンス信号ＲＥを返信することを回避させた後、次のステップＳＰ５へ移って処理を終了する。
【００２９】
（５）動作及び効果
以上の構成において、スキミング防止システム１では、ユーザがダミー非接触ＩＣカード４を本非接触ＩＣカード３の上に重ねて所持しているだけで、当該リーダライタ２から磁界を検出したときに質問信号ＤＳ１を受け取ったか否かに拘わらず、乱数信号Ｚ１に基づくノイズ信号ＮＳをリーダライタ２へ返信することになるため、当該リーダライタ２と本非接触ＩＣカード３との間で無線通信が成立することを妨害し、悪意のユーザによるスキミングを確実に防止することができる。
【００３０】
またスキミング防止システム１では、ユーザは通信対象とすべきリーダライタ２との間で無線通信を成立させたいときには、ダミー非接触ＩＣカード４を取り除くか、或いは本非接触ＩＣカード３をリーダライタ２に翳せばよく、ユーザの意思に応じてスキミング防止状態を維持するか、スキミング防止状態を解除するかを自由に選択させることができる。
【００３１】
特にダミー非接触ＩＣカード４は、本非接触ＩＣカード３とその基本構成が同じであり、データ処理部２１にスキミング防止プログラムＳＰＲをインストールするだけの構成であるため、新しいハードウェアを開発する必要もなく、ソフトウェアの追加だけで簡単に構成することができる。
【００３２】
またダミー非接触ＩＣカード４は、本非接触ＩＣカード３と同様のハードウェアによりノイズ信号ＮＳを発生させるようにしたことにより、当該本非接触ＩＣカード３と同じ環境下で動作するので、本非接触ＩＣカード３に対して影響を及ぼすときには必ずノイズ信号ＮＳをリーダライタ２へ送信することが出来るので、安定したスキミング防止効果を期待することができる。
【００３３】
さらにダミー非接触ＩＣカード４は、基本的に本非接触ＩＣカード３と同一サイズ及び同一構造であるため、本非接触ＩＣカード３と重ね易く、かつ重ねた状態で財布のカード入れ等に収納し易い状態を形成する。
【００３４】
この場合、財布のカード入れに収納された状態のダミー非接触ＩＣカード４は、見た目的にも本非接触ＩＣカード３と同一サイズであるため、あたかも本非接触ＩＣカード３であるかのように見せかけることができ、ダミーであることが気付かれ難いという特徴もある。
【００３５】
以上の構成によれば、スキミング防止システム１では、ダミー非接触ＩＣカード４が外部から磁界を検出している間中、当該ダミー非接触ＩＣカード４からノイズ信号ＮＳをリーダライタ２へ送信し続けることになるので、当該リーダライタ２と本非接触ＩＣカード３との間の無線通信が成立することを回避し、悪意のユーザから本非接触ＩＣカード３に格納されている種々の情報が漏洩することを確実に防止することができる。
【００３６】
（６）他の実施の形態
なお上述の実施の形態においては、ダミー非接触ＩＣカード４と本非接触ＩＣカード３とを重ねた状態で用いられるようにした場合について述べたが、本発明はこれに限らず、リーダライタ２からの磁界を本非接触ＩＣカード３が検出し得るのと同じ距離範囲内にダミー非接触ＩＣカード４を位置させることが出来れば、必ずしも重ねた状態で用いられる必要はない。例えば、ダミー非接触ＩＣカード４と本非接触ＩＣカード３との間に、紙状シート等が介在しても良い。
【００３７】
また上述の実施の形態においては、ノイズ信号ＮＳを送信するために乱数信号Ｚ１を発生させるようにした場合について述べたが、本発明はこれに限らず、リーダライタ２と本非接触ＩＣカード３との間における無線通信の成立を妨げることができれば、「０」又は「１」が続く意味の無い信号や、その他種々の信号を発生させ、それをノイズ信号ＮＳとしてリーダライタ２へ送信するようにしても良い。
【００３８】
さらに上述の実施の形態においては、非接触型情報カードとしてのダミー非接触ＩＣカード４を、磁界検出手段としてのアンテナ部１１及び受信部１３、ノイズ信号発生手段としてのデータ処理部２１、出力手段としての送信部１４及びアンテナ部１１によって構成するようにした場合について述べたが、本発明はこれに限らず、その他種々の回路構成でなる磁界検出手段、ノイズ信号発生手段及び出力手段によって非接触型情報カードを構成するようにしても良い。
【産業上の利用可能性】
【００３９】
本発明の非接触型情報カードは、例えばキャッシュカードやクレジットカード等以外にもセキュリティーカードやＥＴＣ(Electronic Toll Collection System)カード等のその他種々の無線通信用カードに適用することができる。
【図面の簡単な説明】
【００４０】
【図１】スキミング防止システムの全体構成を示す略線図である。
【図２】本非接触ＩＣカードの回路構成を示す略線的ブロック図である。
【図３】ダミー非接触ＩＣカードの回路構成を示す略線的ブロック図である。
【図４】スキミング防止処理手順を示すフローチャートである。
【符号の説明】
【００４１】
１……スキミング防止システム、２……リーダライタ、３……本非接触ＩＣカード、４……ダミー非接触ＩＣカード、１１……アンテナ部、１２……電源部、１３……受信部、１４……送信部、１５、２１……データ処理部。
【図１】
2007188266.tif 000003
【図２】
2007188266.tif 000004
【図３】
2007188266.tif 000005
【図４】
2007188266.tif 000006